(57)【要約】【課題】配線用チューブの屈曲抵抗を小さくすることができ、ヘッド部の揺動時に不自然な反力が発生せず、最適なフィット感を得ることのできる電気かみそりを提供する。【解決手段】刃部５および該刃部を駆動するための駆動源を搭載したヘッド部１と、駆動源に駆動電流を供給するための回路部６を内装し且つ上端にヘッド部を揺動可能に支持するグリップ部２と、ヘッド部に搭載された駆動源とグリップ部に内装された回路部の間を繋ぐ配線１１と、ヘッド部とグリップ部の間に介在され、内部に配線が挿通されることで配線を保護する可撓性の配線用チューブ１０とを有する電気かみそりにおいて、配線用チューブの下端１０ａが、ヘッド部の揺動方向Ｘに向けて角度を付けて、グリップ部の上端に固定されている。【選択図】図１
2010162146.tif 000002
【特許請求の範囲】
【請求項１】
毛を剃るための刃部および該刃部を駆動するための駆動源を搭載したヘッド部と、前記駆動源に駆動電流を供給するための回路部を内装し且つ上端に前記ヘッド部を揺動可能に支持するグリップ部と、前記ヘッド部に搭載された駆動源と前記グリップ部に内装された回路部の間を繋ぐ配線と、前記ヘッド部と前記グリップ部の間に介在され、内部に前記配線が挿通されることで該配線を保護する可撓性の配線用チューブとを有する電気かみそりにおいて、
前記配線用チューブの上端または下端が、前記ヘッド部の揺動方向に向けて角度を付けて、前記グリップ部の上端に固定されていることを特徴とする電気かみそり。
【請求項２】
請求項１に記載の電気かみそりにおいて、
前記配線用チューブの断面が、前記ヘッド部の揺動方向において偏平な形状になっていることを特徴とする電気かみそり。
【請求項３】
請求項１または２に記載の電気かみそりにおいて、
前記配線用チューブが、その端部に取り付けられたカバー部材によって、前記ヘッド部の揺動方向に向けて矯正されていることを特徴とする電気かみそり。
【請求項４】
請求項１〜３のいずれか１項に記載の電気かみそりにおいて、
前記配線用チューブの前記グリップ部に対して固定した下端の位置が、前記ヘッド部に対して固定した上端の位置の直下からずれていることを特徴とする電気かみそり。
【請求項５】
請求項１〜４のいずれか１項に記載の電気かみそりにおいて、
前記配線用チューブの下端が、前記グリップ部の中心軸線に対して角度を持った状態で前記グリップ部に固定されていることを特徴とする電気かみそり。
【請求項６】
請求項１〜５のいずれか１項に記載の電気かみそりにおいて、
前記配線用チューブの内面に、該配線用チューブの内部に挿通させた複数の配線を１列に並べて保持するための凹凸が設けられていることを特徴とする電気かみそり。
【発明の詳細な説明】
【技術分野】
【０００１】
本発明は、刃部を搭載したヘッド部を、前後方向あるいは左右方向もしくは前後左右両方向に揺動自在にグリップ部によって支持した電気かみそりに関するものである。
【背景技術】
【０００２】
図３は例えば特許文献１等に開示されている従来の電気かみそりの概略構成図である。
【０００３】
この種の電気かみそりは、髭を剃るための刃部２０５を搭載したヘッド部２０１と、片手で握ることのできる棒状のグリップ部２０２とを具備しており、ヘッド部２０１に搭載した駆動部（図示略）に、グリップ部２０２に内装したバッテリ等を含む回路部２０６から駆動電流を供給するために、ヘッド部２０１とグリップ部２０２の間に配線が架け渡され、その配線を防水しつつ保護するためにヘッド部２０１とグリップ部２０２の間に可撓性の配線用チューブ２１０が介在されている。
【０００４】
この場合、ヘッド部２０１が前後方向に揺動したり左右方向に揺動したりする際に追従できるように、配線用チューブ２１０は、グリップ部２０２に固定された下端２１０ａと、ヘッド部２０１に固定された上端２１０ｂとの間に自由に屈曲できる余長部を確保している。そして、従来の電気かみそりでは、配線用チューブ２１０の上端２１０ｂはヘッド部２０１の下端面に対して真っ直ぐ上向きに固定し、下端２１０ａはグリップ部２０２の上端面に対して真っ直ぐ下向きに固定している。
【先行技術文献】
【特許文献】
【０００５】
【特許文献１】特開２００６−４２８９７号公報（図７）
【発明の概要】
【発明が解決しようとする課題】
【０００６】
しかしながら、ヘッド部２０１の可動域が広い場合、配線用チューブ２１０が柔軟に追従することができない可能性があった。即ち、配線用チューブ２１０は、中間部に余長部を確保しているものの、その上端２１０ｂや下端２１０ａがヘッド部２０１の下端面やグリップ部２０２の上端面に垂直に固定されているため、屈曲の方向性が定まらず、その結果、屈曲抵抗が大きくなって、ヘッド部２０１の揺動に対する追従性が悪くなるという問題があった。屈曲抵抗が大きくなると、ヘッド部に搭載した刃部を肌に当てる際の良好なフィット感が得られず、使用感が悪化する原因となる。
【０００７】
本発明は、上記事情を考慮し、配線用チューブの屈曲抵抗を小さくすることができ、ヘッド部の揺動時に不自然な反力が発生せず、最適なフィット感を得ることのできる電気かみそりを提供することを目的とする。
【課題を解決するための手段】
【０００８】
上記課題を解決するために、請求項１の発明の電気かみそりは、毛を剃るための刃部および該刃部を駆動するための駆動源を搭載したヘッド部と、前記駆動源に駆動電流を供給するための回路部を内装し且つ上端に前記ヘッド部を揺動可能に支持するグリップ部と、前記ヘッド部に搭載された駆動源と前記グリップ部に内装された回路部の間を繋ぐ配線と、前記ヘッド部と前記グリップ部の間に介在され、内部に前記配線が挿通されることで該配線を保護する可撓性の配線用チューブとを有する電気かみそりにおいて、前記配線用チューブの上端または下端が、前記ヘッド部の揺動方向に向けて角度を付けて、前記グリップ部の上端に固定されていることを特徴としている。
【０００９】
請求項２の発明は、請求項１に記載の電気かみそりにおいて、前記配線用チューブの断面が、前記ヘッド部の揺動方向において偏平な形状になっていることを特徴としている。
【００１０】
請求項３の発明は、請求項１または２に記載の電気かみそりにおいて、前記配線用チューブが、その端部に取り付けられたカバー部材によって、前記ヘッド部の揺動方向に向けて矯正されていることを特徴としている。
【００１１】
請求項４の発明は、請求項１〜３のいずれか１項に記載の電気かみそりにおいて、前記配線用チューブの前記グリップ部に対して固定した下端の位置が、前記ヘッド部に対して固定した上端の位置の直下からずれていることを特徴としている。
【００１２】
請求項５の発明は、請求項１〜４のいずれか１項に記載の電気かみそりにおいて、前記配線用チューブの下端が、前記グリップ部の中心軸線に対して角度を持った状態で前記グリップ部に固定されていることを特徴としている。
【００１３】
請求項６の発明は、請求項１〜５のいずれか１項に記載の電気かみそりにおいて、前記配線用チューブの内面に、該配線用チューブの内部に挿通させた複数の配線を１列に並べて保持するための凹凸が設けられていることを特徴としている。
【発明の効果】
【００１４】
請求項１の発明によれば、配線用チューブの上端または下端が、ヘッド部の揺動方向に向けて角度を付けて、グリップ部の上端に固定されているので、配線用チューブの屈曲の方向性が予め規定されることになる。従って、結果的にヘッド部の揺動（スイング）時に配線用チューブが安定姿勢のまま小さな抵抗で屈曲することになり、ヘッド部に搭載した刃部を肌に当てる際のフィット感が向上する。また、無駄に屈曲箇所が増えなくなることにより、配線や配線用チューブの屈曲箇所が少なくなり、それらの屈曲寿命が延びる。
【００１５】
請求項２の発明によれば、ヘッド部の揺動時の配線用チューブの屈曲抵抗がより小さくなり、屈曲時の挙動が安定する。
【００１６】
請求項３の発明によれば、カバー部材によって配線用チューブの向きを矯正するので、配線用チューブ自体を単純な形状に形成することができる。また、カバー部材によって配線用チューブの端部を保護することができるので、配線用チューブの無用な屈曲や擦れを抑制することができ、配線用チューブや配線の寿命を延ばすことができる。
【００１７】
請求項４の発明によれば、配線用チューブの上端の位置と下端の位置をずらしたので、配線用チューブの全長を長くすることができ、屈曲角度を小さくすることができる。従って、屈曲時の抵抗を小さくすることができると共に、配線用チューブの寿命を延ばすことができる。また、配線用チューブの屈曲角度を小さくできることから、電気かみそりの全高を抑制することができる。
【００１８】
請求項５の発明によれば、配線用チューブの下端が、グリップ部の中心軸線に対し角度を持ってグリップ部に固定されていることにより、ヘッド部の揺動時に配線用チューブに対して圧縮でなく曲げが加わることになるので、ヘッド部の揺動抵抗を軽減することができる。また、ヘッドアングルがある場合、グリップ部に対してアングル分だけ角度をつけることが容易にできる。
【００１９】
請求項６の発明によれば、配線用チューブの内面の凹凸によって、チューブの内部に通した複数の配線を一列に並べて保持することができるので、配線および配線用チューブを偏平な断面にすることができ、屈曲抵抗を小さくすることができる。また、複数の配線を一列に並べて保持できることから、組立時のばらつきを抑制することができ、安定した製品を提供することが可能になる。
【図面の簡単な説明】
【００２０】
【図１】（ａ）は本発明の実施形態の電気かみそりの概略構成を示す側面図、（ｂ−１）および（ｂ−２）は（ａ）のＩｂ−Ｉｂ矢視断面の各例を示す図である。
【図２】別の実施形態の電気かみそりの概略構成を示す正面図である。
【図３】従来の電気かみそりの概略構成を示す正面図である。
【発明を実施するための形態】
【００２１】
以下、本発明の実施形態を図面を参照して説明する。
【００２２】
図１（ａ）は実施形態の電気かみそりの概略側面図、図１（ｂ−１）および（ｂ−２）は図１（ａ）のＩｂ−Ｉｂ矢視断面の各例を示す図である。各図において、Ａは前面側、Ｂは後面（背面）側を示している。
【００２３】
この電気かみそりは、毛を剃るための刃部５および該刃部５を駆動するための駆動源（図示略）を搭載したヘッド部１と、駆動源に駆動電流を供給するためのバッテリ等を含む回路部６を内装し且つ上端に接続部３を介してヘッド部１を前後方向Ｘに揺動可能に支持するグリップ部２と、ヘッド部１に搭載された駆動源とグリップ部２に内装された回路部６の間を繋ぐ配線１１と、ヘッド部１とグリップ部２の間に介在され、内部に配線１１が挿通されることで配線１１を保護する防水用の可撓性を有する配線用チューブ１０（１０１、１０２）とを備えている。
【００２４】
配線用チューブ１０の下端１０ａは、ヘッド部１の揺動方向（Ｘ方向）に向けて角度（垂直ではない角度）を付けて、グリップ部２の上端に固定されている。特に、配線用チューブ１０の下端１０ａは、グリップ部２の中心軸線Ｊに対して角度θ（約１０°程度）を持った状態で、グリップ部２の上端に固定されている。
【００２５】
また、図１（ｂ−１）あるいは（ｂ−２）に示すように、配線用チューブ１０の断面は、ヘッド部１の揺動方向（Ｘ方向）において偏平な形状になっている。
【００２６】
また、配線用チューブ１０の上端１０ｂは、ヘッド部１の下端面に取り付けられたカバー部材１５によってヘッド部１の揺動方向（Ｘ方向）に向けて矯正されている。
【００２７】
さらに、配線用チューブ１０のグリップ部２に対して固定した下端１０ａの位置は、ヘッド部１に対して固定した上端１０ｂの位置の直下から前側にずれている。
【００２８】
この電気かみそりでは、以上の説明のように、配線用チューブ１０の下端１０ａが、ヘッド部１の揺動方向に向けて角度を付けて、グリップ部２の上端に固定されているので、配線用チューブ１０の屈曲の方向性を予め規定することができるようになる。従って、結果的にヘッド部１の揺動（スイング）時に配線用チューブ１０を安定姿勢のまま小さな抵抗で屈曲させることができるようになり、ヘッド部１に搭載した刃部５を肌に当てる際のフィット感を向上させることができる。また、無駄に屈曲箇所が増えなくなることにより、配線１１や配線用チューブ１０の屈曲箇所が少なくなり、それらの屈曲寿命を延ばすことができる。
【００２９】
特に、配線用チューブ１０の断面を、ヘッド部１の揺動方向において偏平な形状に形成しているので、ヘッド部１の揺動時の配線用チューブ１０の屈曲抵抗をより小さくすることができ、屈曲時の挙動を安定させることができる。
【００３０】
また、本実施形態の電気かみそりでは、カバー部材１５によって配線用チューブ１０の向きを矯正しているので、配線用チューブ１０自体を特別な屈曲形状に形成しておく必要がなく、単純な形状に形成しておくことができる。また、カバー部材１５によって配線用チューブ１０の端部を保護することができるので、配線用チューブ１０の無用な屈曲や擦れを抑制することができ、配線用チューブ１０や配線１１の寿命を延ばすことができる。
【００３１】
また、本実施形態の電気かみそりでは、配線用チューブ１０の上端１０ｂの位置と下端１０ａの位置を前後方向にずらしているので、配線用チューブ１０の全長を長くすることができ、それによって屈曲角度を小さくすることができる。従って、屈曲時の抵抗をより小さくすることができると共に、配線用チューブ１０の寿命を延ばすことができる。また、配線用チューブ１０の屈曲角度を小さくできることから、電気かみそりの全高を抑制することもできる。
【００３２】
また、配線用チューブ１０の下端１０ａが、グリップ部２の中心軸線Ｊに対し角度θを持ってグリップ部２に固定されていることにより、ヘッド部１の揺動時に配線用チューブ１０に対して圧縮でなく曲げが加わることになるので、ヘッド部１の揺動抵抗をより軽減することができる。また、ヘッドアングルがある場合は、グリップ部２に対してアングル分だけ角度をつけることが容易にできる。
【００３３】
また、図１（ｂ−２）に示すように、配線用チューブ１０２（１０）の内面に、内部に通した複数の配線１１を１列に並べて保持するための凹凸を設けた場合は、配線１１および配線用チューブ１０２を安定した形の偏平な断面にすることができるので、屈曲抵抗を安定して小さくすることができる。また、複数の配線１１を一列に並べて保持できることから、組立時のばらつきを抑制することができ、安定した製品を提供することが可能になる。
【００３４】
なお、上記実施形態では、ヘッド部１が前後方向に揺動する場合について説明したが、図２の実施形態のようにヘッド部１が左右方向Ｙに揺動自在に設けられている場合にも、本発明は適用することができる。
【００３５】
この場合は、配線用チューブ１０の下端１０ａを、ヘッド部１の揺動方向である左右方向Ｙに角度を付けてグリップ部２の上端に固定する。そして、配線用チューブ１０の断面を、ヘッド部１の揺動方向に偏平な形状となるように設定する。また、ヘッド部１の下端面に取り付けたカバー部材１５によって、配線用チューブ１０をヘッド部１の揺動方向である左右方向Ｙに向くように矯正する。また、配線用チューブ１０のグリップ部２に対して固定した下端１０ａの位置を、ヘッド部１に対して固定した上端１０ｂの位置の直下から外す。
【００３６】
このようにすることにより、図１の実施形態と同様の効果を得ることができる。
【００３７】
また、上記においては、ヘッド部１が前後方向あるいは左右方向のどちらか一方に揺動する場合について述べたが、本発明はヘッド部１が前後左右の両方向に揺動する場合にも適用することができる。
【符号の説明】
【００３８】
１  ヘッド部
２  グリップ部
５  刃部
６  回路部
１０，１０１，１０２  配線用チューブ
１０ａ  下端
１０ｂ  上端
１１  配線
１５  カバー部材
【図１】
2010162146.tif 000003
【図２】
2010162146.tif 000004
【図３】
2010162146.tif 000005